(57)【要約】【課題】天井面を掘り込む等の煩雑な作業を必要とせず、美観を損ねることなく、かつ壁の取り合い部にも取り付けが容易である間接照明装置を提供する。【解決手段】間接照明器具は壁面Ｓから天井面Ｔに沿って室内側に延出される延出材２と、この延出材２の室内側端部から垂れ下がる垂下材３と、この垂下材３の壁面側に発光面を前記壁面に対向して設けられる発光パネル４とで構成された発光ユニット１からなる。天井面を掘り込む等の煩雑な作業を行う必要がないから、取り付けが簡単にできる。【選択図】図１
2008078062.tif 000002
【特許請求の範囲】
【請求項１】
壁面から天井面に沿って室内側に延出される延出材と、該延出材の室内側端部から垂れ下がる垂下材と、該垂下材の壁面側に発光面を前記壁面に対向して設けられる発光パネルとを有る間接照明装置。
【請求項２】
前記延出材と、前記垂下材と、前記発光パネルとが一体化されてなる発光ユニットで構成されることを特徴とする請求項１に記載の間接照明装置。
【請求項３】
前記延出材と、前記垂下材とが一体となった非発光ユニットを形成し、該非発光ユニットを壁の取り合い部に取り付けるとともに、該非発光ユニットに隣接して前記発光パネルを取り付けることを特徴とする請求項１又は２に記載の間接照明装置。
【発明の詳細な説明】
【技術分野】
【０００１】
本発明は間接照明装置に関し、より詳細には、天井面と壁面の取り合い部に取り付けられる間接照明装置に関するものである。
【背景技術】
【０００２】
従来から、天井面と壁面の取り合い部に取り付けられる、いわゆる間接照明装置が知られている。これは、天井面のうち、壁面に接する縁部を、天井面側に掘り込んで凹部となし、凹部内に照明器具を設置することで、照明器具を露出させることなく壁面を照らし、その反射光を間接照明光として使用するものである。
【０００３】
かかる間接照明装置として、例えば、実開平５−７１３５７号公報（特許文献１）に記載されたようなものが提案されている。この特許文献１の間接照明装置（照明ボックス）は、下面が開放した略コの字状の箱体を形成し、その内部にランプを内装してなる照明ボックスを天井面と壁面の取り合い部に取り付けることで、壁面との一体感と呈するようになしたものである。
【特許文献１】実開平５−７１３５７号公報
【発明の開示】
【発明が解決しようとする課題】
【０００４】
しかしながら、かかる特許文献１に開示された照明ボックスにあっては、箱体の断面積、特に壁面から室内側への出幅が大きく、美観を損ねる可能性がある。また、天井面のうち、壁面に接する縁部の全周に取り付けようとすると、壁の取り合い部で干渉して取り付けることができなくなる可能性があった。
【０００５】
本願発明は、上記背景技術に鑑みてなされたものであり、その目的は、天井面を掘り込む等の煩雑な作業を必要とせず、美観を損ねることなく、かつ壁の取り合い部にも取り付けが容易である間接照明装置を提供することである。
【課題を解決するための手段】
【０００６】
請求項１に記載の発明に係る間接照明装置は、上記課題を解決するために、壁面から天井面に沿って室内側に延出される延出材と、該延出材の室内側端部から垂れ下がる垂下材と、該垂下材の壁面側に発光面を前記壁面に対向して設けられる発光パネルとを有することを特徴とする。
【０００７】
また請求項２に記載された発明に係る間接照明装置は、請求項１に記載の間接照明装置において、前記延出材と、前記垂下材と、前記発光パネルとが一体化されてなる発光ユニットで構成されたことを特徴とする。
【０００８】
また請求項３に記載された発明に係る間接照明装置は、請求項１又は２に記載の間接照明装置において、前記延出材と、前記垂下材とが一体となった非発光ユニットを形成し、該非発光ユニットを壁の取り合い部に取り付けるとともに、該非発光ユニットに隣接して前記発光パネルを取り付けることを特徴とする。
【発明の効果】
【０００９】
請求項１に記載された発明に係る間接照明装置によれば、壁面から室内側に延出される延出材と、延出材の室内側から垂れ下がる垂下材と、垂下材の壁面側に、発光面を壁面に向けて設けられる発光パネルとで構成される。そのため、天井面を掘り込む等の煩雑な作業を行うことなく、間接照明装置を取り付けることができ、そのため既設の建築物への取り付けも容易に行うことができる。また、垂下材の壁面側に、発光面を壁面に向けて発光パネルが設けられるので、延出面に発光パネルを備える場合に比べ、発光パネルの面積を必要な大きさに維持したまま壁面からの出幅を押さえることができ、美観を損ねることがない。また、壁面で効果的に反射させることができる。
【００１０】
請求項２に記載された発明に係る間接照明装置によれば、延出材と、垂下材と、発光パネルが一体となった発光ユニットで構成されるので、発光ユニットの取り付けだけで間接照明装置を取り付けることができ、より簡便に取り付けを行うことができる。
【００１１】
請求項３に記載された発明に係る間接照明装置によれば、壁の取り合い部に取り付ける非発光ユニットには、発光パネルがないので切断加工ができ、より発光パネルの干渉を回避した状態での取り付けが可能となる。
【発明を実施するための最良の形態】
【００１２】
以下、本発明に係る間接照明装置の実施の形態について、図面を参照して詳しく説明する。図１は本発明に係る間接照明装置の実施の形態における概略の構成の一部を示す設置状態で下方から見た斜視図、図２はその断面図、図３はそのコーナー用の非発光ユニットを示す斜視図、図４は間接照明装置の取付手順を説明するための斜視図である。
【００１３】
この実施の形態の間接照明装置は、水平方向に延びる長尺の板状の延出材２と、延出材２の幅方向端部からほぼ直角方向に垂れ下がる長尺の垂下材３と、垂下材３の表面の延出材２に面する側に設けられる発光パネル４からなる発光ユニット１と発光パネルを設けていない非発ユニット１０から構成されている。
【００１４】
延出材２は、例えば、木材、低密度発砲プラスチック等からなる合成木材、ポリプロピレンやポリカーボネート等のプラスチックからなる、厚さ１０〜２０ｍｍ、幅６０〜１２０ｍｍの長尺板材にされて用いられる。この延出材２は、室内側の面が、光を効果的に反射できるように白色又シルバー色若しくは鏡面にされ、発光パネル４への給電用配線と給電用の電源ユニット５等を設けている。また、延出材２は、その幅方向一端部に直角方向に延びて垂下材３が一体的に形成され、幅方向他端部は壁面Ｓに当接して天井面Tに木ねじ６により取り付けられるようにされている。
【００１５】
垂下材３は、例えば、延出材２と同様な木材、低密度発砲プラスチック等からなる合成木材、ポリプロピレンやポリカーボネート等のプラスチックからなる長尺の成形板等が用いられる。これらの板材は、例えば、厚さ１０〜２０ｍｍ、幅６０〜１２０ｍｍの長尺材が用いられる。この実施の形態の垂下材３の厚さは、基部（延出材２と合わさる部分）で２０ｍｍ、先端部で１０ｍｍとして、発光パネル４を取り付ける取付面３ａは延出材２から角度が大きくなる、開く方向にされている。この垂下材３は、その  室内側面は、延出材２と同様に光を反射できるように白色又シルバー色に着色若しくは鏡面にされている。
【００１６】
垂下材３の延出材２側に面した取付面３ａには、発光パネル４を取り付ける取付部材７が設けられている。そして、この取付部材７により形成されている凹溝に、発光パネル４が嵌め込まれることにより、垂下材３に発光パネル４が取り付けられる。発光パネル４は、小型で高出力が期待できることから、有機ＥＬからなる幅４０ｍｍ、長さ３００ｍｍの有機ＥＬ発光ユニットが用いられている。発光パネル４は、垂下材３の延出材２に面する取付面３ａに設けられる。
【００１７】
非発光ユニット１０は、図３に示すように、長尺の延出材１２と垂下材１３とから概略Ｌ字形状をなして長尺に形成され、一方端１０ａは長手方向となす角θは直角にされ、他方の端部１０ｂの長手方向となす角θは４５°にされている。そして、この端部１０ｂは他方の非発光ユニット１０と突き合わされた際、直角の壁に沿うようにされている。他方の非発ユニットは、図３に示すように非発ユニット１０とは、対称形の一方端１０ａは長手方向となす角θが４５°に、他方の端部１０ｂの長手方向となす角θは直角にされている。
【００１８】
次に、以上のように構成した間接照明装置を取り付ける手順を説明する。まず、天井Ｔ隅部から給電用の電線８を引き込む（図４（ａ））。次に、取り合い部用の非発光ユニット１０を隣接する壁Ｓの隅部（取り合い部）の天井Ｓにビス固定する（図４（ｂ））。隣接する壁の隅部の両天井Ｔにそれぞれ取り合い部用の非発光ユニット１０を固定する。次いで、非発光ユニット１０の端部に当接させて発光ユニット１をビスにより天井Ｔに固定する。次いで、電線と電源ユニット５とコネクタで接続し、給電を確保する。次いで、順次、発光ユニット１を取り付けていく。そして、開始位置と反対側の天井Ｔ隅部に近づいたら、残存寸法を測定し、非発光ユニット１０をその残存寸法に合わせて切断加工し、これを取り付ける。
【００１９】
上記のように構成してなる本発明の間接照明装置は、天井面を掘り込む等の煩雑な作業を行うことなく、取り付けることができ、コーニス照明装置とすることもできる。取付が簡単なため既設の建築物への取り付けも容易に行うことができる。また、垂下材の壁面側に、発光面を壁面に向けて発光パネルが設けられるので、延出面に発光パネルを備える場合に比べ、発光パネルの面積を必要な大きさに維持したまま壁面からの出幅を押さえることができ、美観を損ねることがない。
【００２０】
なお、本発明は上記実施の形態に限られないことは勿論である。例えば、延出材と垂下材とは一体形成のものに限られなく、別体の長尺板材を接着、鋲着、釘着等により、完成時に、発光パネルが壁面に対面するように設けられるように構成してあればよい。この場合、どちらの材に他の材を取り付けるようにしても良い。また、垂下材の下端側が壁面から遠ざかる傾斜面を有した例で示したが、壁面と平行に形成された面に発光パネルを設ける構成であっても良い。また、非発光ユニット１０は、間接照明装置を設けない壁面に隣接するものにあっては、その両端部は直角であっても良い。
【図面の簡単な説明】
【００２１】
【図１】本発明に係る間接照明装置の実施の形態における概略の構成を示す設置状態で下方から見た一部切断した斜視図である。
【図２】その断面図である。
【図３】そのコーナー用の非発光ユニットを示す斜視図である。
【図４】間接照明装置の取付手順を説明するための斜視図である。
【符号の説明】
【００２２】
１  発光ユニット
２  延出材
３  垂下材
４  発光パネル
５  電源ユニット
６  木ねじ
７  取付部材
８  電線
１０  非発光ユニット
【図１】
2008078062.tif 000003
【図２】
2008078062.tif 000004
【図３】
2008078062.tif 000005
【図４】
2008078062.tif 000006